(57)【要約】      （修正有）【課題】商品を直立ないし急な傾斜の展示姿勢にしても安定性が高く、展示中にふらついたり転倒したりしにくい包装容器を提供する。【解決手段】包装容器１は、長尺板体３に、商品保持板形成部４、側板形成部５、底板形成部７、脚板形成部８および固定板形成部９が折目線Ｔ２〜Ｔ４を介して連設され、底板形成部７が折目線Ｔ２で折り曲げられ、脚板形成部７が折目線Ｔ３で折り曲げられ、固定板形成部９が折目線Ｔ４で折り曲げられ、底板形成部の相方係合部材Ｖ２が、側板形成部の係合部材Ｖ１に係止されて側板形成部５が底板形成部７に固定され、更に商品保持板形成部４の係合部材Ｖ３に、固定板形成部９の相方係合部材Ｖ４が係止されて固定板形成部９が商品保持板形成部４の背面４Ｂに固定されることにより、傾斜した商品展示形態Ｆ１にされる構成となっている。【選択図】図４
0003191377.tif 000002
【実用新案登録請求の範囲】
【請求項１】
長尺板体の長手方向の一端側から他端側に向けて、商品保持板形成部、側板形成部および蓋板形成部が折目線を介して連設されて成り、
前記蓋板形成部は、前記商品保持板形成部との折目線から他端側に向けてそれぞれ折目線を介して連設された底板形成部、脚板形成部および固定板形成部から構成され、
前記蓋板形成部の底板形成部が蓋止方向とは反対側に折目線で折り曲げられて前記底板形成部が前記側板形成部と重ね合わせられ、
前記脚板形成部が前記商品保持板形成部の背面に向けて折り曲げられ、
前記固定板形成部が前記商品保持板形成部の背面と平行に折り曲げられ、
前記底板形成部に設けられている相方係合部材が、前記側板形成部に設けられている係合部材に係止されることにより、前記側板形成部が前記底板形成部に固定され、
更に、前記商品保持板形成部に設けられている係合部材に、前記固定板形成部に設けられている相方係合部材が係止されて前記固定板形成部が前記商品保持板形成部の背面に固定されることにより、商品展示形態にされることを特徴とする包装容器。
【請求項２】
商品展示形態のときに前記商品保持板形成部が前記底板形成部に対して傾斜するように、前記商品保持板形成部における係合部材の配置と、前記固定板形成部における相方係合部材の配置が設定されている請求項１に記載の包装容器。
【請求項３】
商品展示形態のときに前記商品保持板形成部が前記底板形成部に対して直立するように、前記商品保持板形成部における係合部材の配置と、前記固定板形成部における相方係合部材の配置が設定されている請求項１に記載の包装容器。
【請求項４】
前記蓋板形成部の他端側に吊り下げ用孔が形成され、
前記側板形成部および前記蓋板形成部が一体で折り返されて前記商品保持板形成部の背面に重ね合わせられ、前記重ね合わせられた状態において前記商品保持板形成部と前記側板形成部および前記蓋板形成部とが固定されるように、
前記商品保持板形成部における係合部材の配置と、前記側板形成部および前記蓋板形成部における相方係合部材の配置が設定されている請求項１に記載の包装容器。
【請求項５】
前記係合部材および前記相方係合部材が、前記長尺板体の長辺部に形成された切り起こし部で構成されている請求項１から請求項４までのいずれか一項に記載の包装容器。
【請求項６】
一端開口を有する有底筒状に形成された外箱を備えており、
当該外箱は、前記商品保持板形成部の表面に商品を保持し前記側板形成部および前記蓋板形成部が折り曲げられて前記保持された商品の表面を前記蓋板形成部が被った状態にある長尺板体を、出し入れ自在に収容する構成とされていることを特徴とする請求項１から請求項５までのいずれか一項に記載の包装容器。
【請求項７】
上面開口および前面開口を有するとともに前記長尺板体の商品保持板形成部の表面に取り付けられる商品載置台を備えており、
当該商品載置台は、商品を載せる載置板部と、前記載置板部の後辺部に立設されて前記商品保持板形成部の表面に取り付けられる背板部と、前記載置板部の左右側辺部に立設された側板部と、前記載置板部の前辺部に起倒自在に設けられて前記前面開口を開閉自在に蓋止する前蓋部と、前記側板部に設けられていて、前記前蓋部の側端に形成された掛止部を係脱自在に掛止するロック機構と、から構成されていることを特徴とする請求項１から請求項６までのいずれか一項に記載の包装容器。
【考案の詳細な説明】
【技術分野】
【０００１】
本考案は、搬送時や保管時には商品を被って保護し、商品展示の際には直ちに展示に適した形態に変化させることのできる包装容器に関するものである。
【背景技術】
【０００２】
従来、この種の包装容器としては、下記の特許文献１に開示されたものが知られている。この文献開示の包装容器は紙段ボール製で主に構成され、上面開口を有する矩形箱状の容器本体と、容器本体の上縁部の一辺に設けられた第１折目線から延在して前記上面開口を被う蓋板部と、を備えたものである。この包装容器では、展示に際して、蓋板部が第１折目線で下向きに折り曲げられ、第１折目線近くに設けられた第２折目線で蓋板部が水平方向に折り曲げられて底板部とされ、更に底板部が第３折目線で上向きに折り曲げられて脚板部とされ、容器本体の底面の背部に配備されたリベットに脚板部からの紐を巻き付けて固定するようになっている。これにより、上面開口が開放されるとともに容器本体が傾斜した姿勢で商品展示が行なわれるのである。
【先行技術文献】
【特許文献】
【０００３】
【特許文献１】実公昭４３−１５５５８号公報（第１頁、第１図〜第３図）
【考案の概要】
【考案が解決しようとする課題】
【０００４】
上記した従来の包装容器は、比較的脆弱な紙段ボール製であるため、材料自体が撓んだり容易に変形したりする。そのために、できるだけ脚板部を短くして支持強度を保つようにしている。これにより、容器本体の傾斜角度が小さくならざるを得なかったのである。このように容器本体の傾斜角度が小さいと、離れた位置にいる顧客から容器本体内の商品をしっかり確認し難いという難点がある。それに対し、容器本体が直立に近い傾斜姿勢になるように脚板部を長くすると、そのぶん机上などに置かれる底板部分の面積が狭くならざるを得ない。すると、安定性が悪くなって、展示中にふらついたり転倒したりするおそれが生じる。
他方で、この包装容器はリベットや紐など、容器構成板材以外の別部品を必要とするため、部品点数が多くなり、これらの取り付け作業の必要となるため、作業の手間がかかり、製造コストも高くなるという課題もある。
【０００５】
本考案は、上記した従来の問題点に鑑みてなされたものであって、商品を直立ないし急な傾斜の展示姿勢にしても安定性が高く、展示中にふらついたり転倒したりしにくい包装容器の提供を目的とする。
【課題を解決するための手段】
【０００６】
上記目的を達成するために、本考案に係る包装容器は、長尺板体の長手方向の一端側から他端側に向けて、商品保持板形成部、側板形成部および蓋板形成部が折目線を介して連設されて成り、前記蓋板形成部は、前記商品保持板形成部との折目線から他端側に向けてそれぞれ折目線を介して連設された底板形成部、脚板形成部および固定板形成部から構成され、前記蓋板形成部の底板形成部が蓋止方向とは反対側に折目線で折り曲げられて前記底板形成部が前記側板形成部と重ね合わせられ、前記脚板形成部が前記商品保持板形成部の背面に向けて折り曲げられ、前記固定板形成部が前記商品保持板形成部の背面と平行に折り曲げられ、前記底板形成部に設けられている相方係合部材が、前記側板形成部に設けられている係合部材に係止されることにより、前記側板形成部が前記底板形成部に固定され、更に、前記商品保持板形成部に設けられている係合部材に、前記固定板形成部に設けられている相方係合部材が係止されて前記固定板形成部が前記商品保持板形成部の背面に固定されることにより、商品展示形態にされる構成にしてある。
【０００７】
また、請求項１の構成において、商品展示形態のときに前記商品保持板形成部が前記底板形成部に対して傾斜するように、前記商品保持板形成部における係合部材の配置と、前記固定板形成部における相方係合部材の配置が設定されているものである。
【０００８】
そして、請求項１の構成において、商品展示形態のときに前記商品保持板形成部が前記底板形成部に対して直立するように、前記商品保持板形成部における係合部材の配置と、前記固定板形成部における相方係合部材の配置が設定されているものである。
【０００９】
更に、請求項１の構成において、前記蓋板形成部の他端側に吊り下げ用孔が形成され、前記側板形成部および前記蓋板形成部が一体で折り返されて前記商品保持板形成部の背面に重ね合わせられ、前記重ね合わせられた状態において前記商品保持板形成部と前記側板形成部および前記蓋板形成部とが固定されるように、前記商品保持板形成部における係合部材の配置と、前記側板形成部および前記蓋板形成部における相方係合部材の配置が設定されているものである。
【００１０】
また、前記各構成において、前記係合部材および前記相方係合部材が、前記長尺板体の長辺部に形成された切り起こし部で構成されているものである。
【００１１】
そして、前記した各構成において、一端開口を有する有底筒状に形成された外箱を備えており、当該外箱は、前記商品保持板形成部の表面に商品を保持し前記側板形成部および前記蓋板形成部が折り曲げられて前記保持された商品の表面を前記蓋板形成部が被った状態にある長尺板体を、出し入れ自在に収容する構成とされているものである。
【００１２】
更に、前記した各構成において、上面開口および前面開口を有するとともに前記長尺板体の商品保持板形成部の表面に取り付けられる商品載置台を備えており、当該商品載置台は、商品を載せる載置板部と、前記載置板部の後辺部に立設されて前記商品保持板形成部の表面に取り付けられる背板部と、前記載置板部の左右側辺部に立設された側板部と、前記載置板部の前辺部に起倒自在に設けられて前記前面開口を開閉自在に蓋止する前蓋部と、前記側板部に設けられていて、前記前蓋部の側端に形成された掛止部を係脱自在に掛止するロック機構と、から構成されているものである。
【考案の効果】
【００１３】
本考案に係る包装容器によれば、折り曲げられた側板形成部が底板形成部に固定され、商品保持板形成部の係合部材に固定板形成部の相方係合部材が係止されることにより、固定板形成部が商品保持板形成部の背面に固定されて商品展示形態にされるので、側板形成部と底板形成部の前部が二枚重ねで固定されるから、その部分の剛性を高くすることができる。これにより、比較的急角度の傾斜展示であっても安定性が高く、展示中にふらついたり転倒したりしにくい包装容器を得ることができる。
【００１４】
また、商品保持板形成部が傾斜した商品展示形態を採るものでは、側板形成部および底板形成部が商品保持板形成部の下端部から前方へ突出しているので、机上などに接地する底板形成部を広く採ることができる。また、側板形成部と底板形成部の前部が二枚重ねで固着されているので、その部分の剛性も高くすることができる。これらにより、比較的急角度の傾斜展示であっても安定性が高く、展示中にふらついたり転倒したりしにくい。このように傾斜角が大きいと、遠方の顧客から商品の概要を視認しやすくなる。
【００１５】
そして、商品保持板形成部が直立した商品展示形態を採るものでありながら、側板形成部と底板形成部が係合部材および相方係合部材でしっかり係止固定され、商品保持板形成部と固定板形成部も係合部材および相方係合部材でしっかり係止固定されており、底板形成部も比較的広いので、安定した直立姿勢を保持することができる。
【００１６】
更に、吊り下げ用孔を有し、側板形成部および蓋板形成部が一体で折り返されて商品保持板形成部の背面に重ね合わせられるものでは、比較的薄く前後に重畳されて立てられた展示形態にされるから、壁や展示パネルなどに吊り下げて展示することができる。
【００１７】
また、係合部材および相方形成部材が切り起こし部で構成されているものでは、
側板形成部と底板形成部の固定および商品保持板形成部と固定板形成部の固定を別部品である係合部材を用いることなく、長尺板体のみで行なうことができる。従って、部品点数が最少となり、簡素な構成で安価な包装容器を提供することができる。
【００１８】
そして、長尺板体に加えて外箱を有するものでは、保持した商品を被った状態の長尺板体が外箱に収容されるから、商品保管中や商品搬送中は、外箱内で商品がより確実に保護される。一方、外箱からすばやく長尺板体を取り出して組み立てるだけで、簡単かつ迅速に所定の展示形態にさせることができる。
【００１９】
更に、前面開口を開閉する前蓋部を有する商品載置台を備えたものでは、前蓋部を開いた状態では、商品を商品載置台に容易に出し入れすることができる。一方、前蓋部を閉じてロック機構でロックした状態では、商品を確実に保持でき商品落下を防ぐことができる。
【図面の簡単な説明】
【００２０】
【図１】本考案の一実施形態に係る包装容器を示す図であって、（ａ）は正面図、（ｂ）は側面図である。
【図２】前記包装容器および外箱を示す図であって、（ａ）は斜視図、（ｂ）は（ａ）におけるＡ−Ａ線矢視断面図である。
【図３】前記包装容器の長尺板体を折り曲げる状態を示す図であって、（ａ）は蓋板形成部に対して商品保持板形成部を折り曲げた状態を示す側面図、（ｂ）は（ａ）の状態から側板形成部に対して蓋板形成部を折り曲げた状態を示す側面図である。
【図４】（ａ）は図３（ｂ）の状態から脚板形成部に対して固定板形成部を折り曲げた状態を示す側面図、（ｂ）は（ａ）の状態から底板形成部に対して脚板形成部を折り曲げた状態を示す側面図、（ｃ）は（ｂ）の状態を示す背面図である。
【図５】図４（ｂ），（ｃ）の状態を示す斜視図である。
【図６】前記包装容器の長尺板体の背面に別の係合部材および相方係合部材を配備した状態を示す背面図である。
【図７】前記包装容器の別の商品展示形態を示す図であって、（ａ）は底板形成部に対して商品保持板形成部を直立させた形態を示す側面図、（ｂ）は商品保持板形成部に対して側板形成部および蓋板形成部を折り返して吊り下げた形態を示す側面図である。
【図８】前記包装容器の表面に商品載置台を取り付けた状態を示す図であって、（ａ）は正面図、（ｂ）は側面図である。
【図９】図８に示した商品載置台のロック機構に用いる構成部品を示す図であって、（ａ）の（ｉ）はスライダ受板の左側面図、（ａ）の（ｉｉ）はスライダ受板の右側面図、（ａ）の（ｉｉｉ）はスライダ受板の正面図、（ｂ）の（ｉ）は掛止用板の左側面図、（ｂ）の（ｉｉ）は掛止用板の右側面図、（ｂ）の（ｉｉｉ）は掛止用板の正面図、（ｃ）の（ｉ）はスライダの左側面図、（ｃ）の（ｉｉ）はスライダの右側面図、（ｃ）の（ｉｉｉ）はスライダの正面図、（ｄ）は正面から視て右側のロック機構を示す部分平面図である。
【図１０】前記商品載置台を示す側面図である。
【図１１】前記包装容器で展示される商品の別例を示す斜視図である。
【考案を実施するための形態】
【００２１】
本考案の実施形態を図面に基づいて説明する。尚、以下に述べる実施形態は本考案を具体化した一例に過ぎず、本考案の技術的範囲を限定するものでない。図１は本考案の一実施形態に係る包装容器を示す図であって、（ａ）は正面図、（ｂ）は側面図である。
図１において、この実施形態に係る包装容器１は、例えば正面視で長尺矩形帯状に形成された段ボール製の長尺板体３で構成されている。この長尺板体３は、長手方向の一端３Ａ側から他端３Ｂ側に向けて、商品保持板形成部４、側板形成部５および蓋板形成部６が折目線Ｔ１，Ｔ２を介して連設されている。
前記の蓋板形成部６は、側板形成部５との間の折目線Ｔ２から他端３Ｂ側に向けてそれぞれ連設された、底板形成部７、脚板形成部８および固定板形成部９で構成されている。底板形成部７と脚板形成部８との間には、左右に延びる折目線Ｔ３が設けられている。脚板形成部８と固定板形成部９との間には、左右に延びる折目線Ｔ４が設けられている。
【００２２】
商品保持板形成部４の左右側辺部には、切り起こし部（係合部材）Ｖ３，Ｖ３がハの字状切り込みによって形成されている。側板形成部５の左右側辺部には、切り起こし部（係合部材）Ｖ１，Ｖ１がハの字状切り込みによって形成されている。底板形成部７の左右側辺部には、側板形成部５の切り起こし部Ｖ１，Ｖ１と係脱自在に係合する切り起こし部（相方係合部材）Ｖ２，Ｖ２がハの字状切り込みによって形成されている。そして、固定板形成部９の左右側辺部には、商品保持板形成部４の切り起こし部Ｖ３，Ｖ３と係脱自在に係合する切り起こし部（相方係合部材）Ｖ４，Ｖ４がハの字状切り込みによって形成されている。固定板形成部９における他端３Ｂ近くの左右中央部には、フックねじ１４（図７（ｂ）参照）などに掛けられる吊り下げ用孔１３が形成されている。
【００２３】
そして、この包装容器１は、図２（ａ），（ｂ）に示すように、一端開口１１および底部１２を有する有底角筒状に形成された外箱２も備えている。一方、包装容器１では、長尺板体３の商品保持板形成部４の表面４Ａに、多数の商品Ｓ，Ｓ，Ｓ，・・・が両面粘着テープ（保持部材）１０などで固着保持されている。この場合、保持部材として、前記の両面粘着テープ１０に替えて、接着剤、面ファスナなどを用いることも可能である。更に、側板形成部５および蓋板形成部６が折目線Ｔ１，Ｔ２で折り曲げられることにより、蓋板形成部６が商品Ｓ，Ｓ，Ｓ，・・・の表面を被った状態になっている。このような包装容器１が外箱２に出し入れ自在に収容されるのである。
【００２４】
上記のように構成された包装容器１の作用を次に説明する。この場合、４列２段の商品Ｓ，Ｓ，Ｓ，Ｓ・・・が、予め商品保持板形成部４の表面４Ａに固着保持されているものとする。
まず、図３（ａ）に示すように、商品Ｓ，Ｓ，Ｓ，・・・を保持した商品保持板形成部４が、折目線Ｔ１で折り曲げられて水平方向から矢印Ｒ１方向に持ち上げられる。次に、蓋板形成部６の底板形成部７が蓋止方向とは反対向き（Ｒ２方向）に折目線Ｔ２で折り曲げられる。これにより、図３（ｂ）に示すように、底板形成部６の脚板形成部７が側板形成部５と重ね合わせられる。続いて、固定板形成部９が商品保持板形成部４の背面４Ｂと平行となるように、予め折目線Ｔ４で矢印Ｒ３のように折り曲げられる。
【００２５】
そして、図４（ａ）に示すように、脚板形成部８が商品保持板形成部４の背面４Ｂに向けて折目線Ｔ３で矢印Ｒ４のように折り曲げられる。尚、前記した、固定板形成部９を折り曲げる作業と、脚板形成部８を折り曲げる作業は、どちらが先に行なわれても構わない。次に、図４（ｂ）に示すように、底板形成部７に設けられている切り起こし部Ｖ２，Ｖ２が、側板形成部５に設けられている切り起こし部Ｖ１，Ｖ１に重ね合わせられ、重ね合わせられた状態で共に引き起こされる。これにより、切り起こし部Ｖ２，Ｖ２が切り起こし部Ｖ１，Ｖ１に係脱自在に係止される。その結果、側板形成部５が底板形成部７に上下重畳された状態で固定される。尚、この固定作業は、既述した底板形成部７と側板形成部５の重ね合わせ作業の直後に行なってもよい。そして、商品保持板形成部４に設けられている切り起こし部Ｖ３，Ｖ３に、固定板形成部９に設けられている切り起こし部Ｖ４，Ｖ４が重ね合わせられ共に引き起こされて係脱自在に係止される。これによって、固定板形成部９が商品保持板形成部４の背面４Ｂに固定されるのである。
【００２６】
これら図４（ｂ），（ｃ）および図５に示したように、固定板形成部９が商品保持板形成部４の背面４Ｂに固定されたことにより、包装容器１は、商品保持板形成部４が底板形成部７に対して傾斜した商品展示形態Ｆ１となる。すなわち、商品展示形態Ｆ１のときに商品保持板形成部４が底板形成部７に対して傾斜するように、商品保持板形成部４における切り起こし部Ｖ３，Ｖ３の位置と、固定板形成部９における切り起こし部Ｖ４，Ｖ４の位置が設定されている。このような商品展示形態Ｆ１の包装容器１が机上Ｄに置かれて展示に供される。尚、図４（ｂ）に示すように、商品Ｓは、例えば透明な合成樹脂製の商品ケースＣ内に商品本体Ｅを収容したものである。商品本体Ｅは特に限定されず何でもよいが、ここでは例えば鱗取り具を示してある。
【００２７】
このように、本実施形態の包装容器１によれば、側板形成部５と底板形成部７の前部が二枚重ねで固定されるから、その部分の剛性を高くすることができる。これにより、傾斜角が比較的急な傾斜展示であっても安定性が高く、展示中にふらついたり転倒したりしにくい包装容器１を得ることができる。また、前記のように傾斜角が大きいと、遠くの顧客からでも、展示された商品Ｓの概要を視認しやすくなる。
【００２８】
尚、上記の実施形態では、底板形成部７に対し商品Ｓを傾けて展示するようにしたものを例示したが、本考案の包装容器はそれに限定されるものでない。
例えば、図６に示すように、長尺板体３の背面の左右に、一端３Ａ側から他端３Ｂ側に向かって、面ファスナ（係合部材）Ｗ５、面ファスナ（係合部材）Ｗ１、面ファスナ（係合部材）Ｗ３、面ファスナ（相方係合部材）Ｗ４、面ファスナ（相方係合部材）Ｗ６、および面ファスナ（相方係合部材）Ｗ２がそれぞれ接着剤などで固着されている。面ファスナＷ５，Ｗ５と面ファスナＷ１，Ｗ１と面ファスナＷ３，Ｗ３は商品保持板形成部４に設けられ、面ファスナＷ４，Ｗ４は側板形成部５に設けられ、面ファスナＷ６，Ｗ６は脚板形成部８に設けられ、面ファスナＷ２，Ｗ２は固定板形成部９に設けられている。このような図６に示した構成を採用すると、包装容器１は、傾斜した商品展示形態Ｆ１のみならず、他の商品展示形態を採ることが可能になる。
【００２９】
例えば、図７（ａ）に示すような商品保持板形成部４が折目線Ｔ１で側板形成部５と直角に折り曲げられ、底板形成部７が折目線Ｔ２で側板形成部５から１８０度折り返されて切り起こし部Ｖ２と切り起こし部Ｖ１が共に起こされて係合される。更に、脚板形成部８および固定板形成部９が折目線Ｔ３，Ｔ４で折り曲げられたのち、面ファスナＷ１に面ファスナＷ２が係止されて固定板形成部９が商品保持板形成部４の背面４Ｂに固定される。これにより、包装容器１は、商品保持板形成部４が直立した商品展示形態Ｆ２となる。すなわち、商品展示形態Ｆ２のときに商品保持板形成部４が底板形成部７に対して直立するように、商品保持板形成部４における面ファスナＷ１の位置と、固定板形成部９における面ファスナＷ２の位置が設定されている。
このような包装容器１によっても、底板形成部も比較的広いので、安定した直立姿勢を保持することができる。
【００３０】
そして、図７（ｂ）に示すように、側板形成部５および蓋板形成部６が一体に折目線Ｔ１で折り返されて商品保持板形成部４の背面４Ｂに前後に重畳される。このとき、商品保持板形成部４の背面４Ｂにある面ファスナＷ３に、対面する側板形成部５の面ファスナＷ４が係合する。そして、商品保持板形成部４の面ファスナＷ５に、対面する脚板形成部８の面ファスナＷ６が係合する。これらにより、商品保持板形成部４と側板形成部５および蓋板形成部６とが固定される。そして、この包装容器１は、竪壁Ｘにねじ込まれているフックねじ１４に吊り下げ用孔１３が掛止され、吊り下げ態様である商品展示形態Ｆ３として展示されるのである。
【００３１】
更に、この包装容器１は、図８に示すように、長尺板体の商品保持板形成部４の表面４Ａに例えば上下２つの商品載置台２０，２０が取り付けられている。各商品載置台２０は上面開口３０および前面開口３１（図１０参照）を有している。各商品載置台２０は、商品Ｓを載せる載置板部２１と、載置板部２１の後辺部に立設された背板部２２と、載置板部２１の左右側辺部に立設された側板部２３，２３と、載置板部２１の前辺部に形成された折目線２６を介して矢印Ｒ５のように起倒自在に設けられて前面開口３１を開閉自在に蓋止する前蓋部２５と、側板部２３，２３に設けられた左右のロック機構２９，２９と、から構成されている。背板部２２は、接着剤などの固着部材４３により商品保持板形成部４の表面４Ａに取り付けられる。各ロック機構２９は、前蓋部２５の側端に形成された側板部２７から延在した掛止部２８を係脱自在に掛止するものである。左右の側板部２３，２３間は、例えば仕切板部２４，２４，２４で仕切られて仕切空間を形成している。各仕切空間内には、それぞれ商品Ｓが出し入れ自在に収容される。
【００３２】
前記のロック機構２９は、図９および図１０に示すように、側板部２３の内側面に固着される掛止用板３３と、掛止用板３３の内側面に固着されるスライダ受板３４と、掛止用板３３の段部３７およびスライダ受板３４のガイド溝３６に摺動自在に装着されて案内されるスライダ３２と、から構成されている。掛止用板３３の内側面には、前蓋部２５の側板部２７を収容するための段部３９が形成されている。段部３９の奥側には、掛止部２８を掛止する掛止溝部３８が形成されている。また、掛止溝部３８の外側面には、スライダ３２の受け板４２を案内する段部３７が形成されている。スライダ受板３４を構成する竪板部３５の内側面には、横方向に延びるガイド溝３６が形成されている。スライダ３２は、竪板部４０と、竪板部４０の上端から鉤状に延びる受け板４２と、竪板部４０の外側面に形成されて横方向に延びる凸条４１と、から構成されている。凸条４１はスライダ受板３４のガイド溝３６に収容されて案内される。
【００３３】
この商品載置台２０では、前蓋部２５が折目線２６で前方に折り曲げられて前面開口３１が開放される。これにより、載置板部２１上に商品Ｓを簡単に出し入れすることができる。一方、載置板部２１上に商品Ｓを収容したのちは、前面開口３１が前蓋部２５で蓋止される。このとき、前蓋部２５の側板部２７および掛止部２８がロック機構２９のスライダ受板３４と竪板部３３との隙間に挿入され、掛止部２８が掛止用板３３の掛止溝部３８に入り込んで掛止される。その状態で、スライダ３２が手で前方に摺動され、側板部２７の上面を抑え込んでロックする。
従って、前蓋部２５で蓋止しているときは、透明な前蓋部２５を透して商品Ｓを見ることができるし、商品Ｓが前方に落下するおそれもない。一方、ロック機構２９のスライダ３２を後部の待避位置まで移動させたのち、側板部２７および掛止部２８を手で引き上げることで、ロック状態をいとも簡単に解除でき、前蓋部２５を開いて商品Ｓを出し入れすることができる。
【００３４】
尚、上記では、全体が矩形箱状の商品ケースＣ内に商品本体Ｅを収容した商品Ｓを示したが、本考案の包装容器が適用される商品はそれに限られない。例えば、図１１に示すような商品ＳＡでも適用可能である。この商品ＳＡは、例えば前面に出し入れ口４５を有する透明な商品ケースＣＡと、出し入れ口４５を開閉するために商品ケースＣＡの外側面に上下スライド自在に配備された透明な蓋体４７と、蓋止状態の蓋体４７をロックするための鍵部４８，４９と、商品ケースＣＡ内に設置された置き台４６と、置き台４６に保持された商品本体ＥＡと、を備えている。
この商品ＳＡは包装容器１の商品保持板形成部４の表面４Ａに固定して使用されるが、商品本体ＥＡが宝石などのような貴重品であっても、閉じた蓋体４７が鍵部４８，４９でロックされるので、商品本体ＥＡの盗難を防止できる。そして、直に見せなければならないときは、鍵部４８，４９を解錠して蓋体４７を開け出し入れ口４５から商品本体ＥＡを取り出して顧客に見せることができる。
【００３５】
尚、上記では、長尺板体の素材として、紙段ボールを用いた例を示したが、本考案はそれに限定されない。例えば、段ボール構造を有するプラスチック段ボール、あるいは折り曲げ可能なプラスチック板または厚硬紙などを用いることも可能である。
【符号の説明】
【００３６】
１    包装容器
２    外箱
３    長尺板体
３Ａ  一端
３Ｂ  他端
４    商品保持板形成部
４Ａ  表面
４Ｂ  背面
５    側板形成部
６    蓋板形成部
７    底板形成部
８    脚板形成部
９    固定板形成部
１０  保持部材
１１  一端開口
１２  底部
１３  吊り下げ用孔
２０  商品載置台
２１  載置板部
２２  背板部
２３  側板部
２５  前蓋部
２８  掛止部
２９  ロック機構
３０  上面開口
３１  前面開口
Ｆ１〜Ｆ３  商品展示形態
Ｓ，ＳＡ    商品
Ｔ１〜Ｔ４  折目線
Ｖ１，Ｖ３  切り起こし部（係合部材）
Ｖ２，Ｖ４  切り起こし部（相方係合部材）
Ｗ１，Ｗ３，Ｗ５  面ファスナ（係合部材）
Ｗ２，Ｗ４，Ｗ６  面ファスナ（相方係合部材）
【図１】
0003191377.tif 000003
【図２】
0003191377.tif 000004
【図３】
0003191377.tif 000005
【図４】
0003191377.tif 000006
【図５】
0003191377.tif 000007
【図６】
0003191377.tif 000008
【図７】
0003191377.tif 000009
【図８】
0003191377.tif 000010
【図９】
0003191377.tif 000011
【図１０】
0003191377.tif 000012
【図１１】
0003191377.tif 000013